(57)【要約】【課題】四周枠を鋼材の曲げ物とし、そこに形成されるスペースにガラス板等のパネル体６を嵌め込んだ鋼製建具において、下枠３から階下側に雨水が漏洩しないよう水密性を備えた構成にする。【解決手段】下枠３を、躯体側に建て付けられる下枠本体７と、該下枠本体７の上面に配設される支持部材８と、該支持部材８の屋内側部に組み込まれる押し縁９とで構成し、支持部材８のパネル体屋外側面を支持する屋外側部８ｂと、該屋外側部８ｂよりは低位となるよう突設されていて前記押し縁９が上側からビス１０で固定される屋内側部とのあいだに凹溝状に形成され、パネル体を支持する支持受け部８ａと下枠本体７とを当接させてスポット溶接８ｄすることで貫通孔のない状態で下枠本体７と支持部材８とを固定して雨水の下枠３を抜けて下方への漏水を防止するようにした。【選択図】図２
2014125810.tif 000002
【特許請求の範囲】
【請求項１】
躯体側に建て付けられる上下左右の鋼製四周枠によって囲撓された空間にパネル体を嵌め込んで屋内外を仕切るように構成した鋼製建具において、前記四周枠のうちの下枠は、
躯体側に建て付けられる下枠本体と、
該下枠本体の上面に配設されてパネル体の支持をする支持部材と、
該支持部材の屋内側部に組み込まれてパネル体の屋内側面を支持する押し縁とで構成されるものであって、
これら下枠本体、支持部材並びに押し縁は、それぞれ鋼材を曲げ加工して形成した一体物であり、
支持部材は、
パネル体の屋外側面を支持するべくパネル体下端よりも高位となるよう突設される屋外側部と、
パネル体を屋内側から組み込み可能にするべく前記屋外側部よりは低位となるよう突設されていて前記押し縁がビス固定される屋内側部と、
パネル体の下端と対向してパネル体を支持するべく前記屋内外側部のあいだに位置して凹溝状に形成される支持受け部とを備えて構成されるものであり、
前記下枠本体と支持部材の支持受け部とを当接させて溶着することで下枠本体と支持部材とを固定して雨水の下枠を抜けて下方への漏水を防止するように構成したことを特徴とする鋼製建具の下枠構造。
【請求項２】
下枠本体の押し縁よりも屋内側部位には、支持受け部の下枠本体に対する当接面よりも高くなった段差状部が形成されていて屋内側への雨水の漏水を防止するように構成されていることを特徴とする請求項１記載の鋼製建具の下枠構造。
【請求項３】
押し縁は冂字形に形成されたものであり、該押し縁の屋内側脚片は、支持部材屋内側部の屋内側面に対向する状態で下端が下枠本体に当接するようにして、支持部材屋内側部が屋内側から目視されないように構成されていることを特徴とする請求項１または２記載の鋼製建具の下枠構造。
【発明の詳細な説明】
【技術分野】
【０００１】
本発明は、マンションのエントランス等に建て付けられる鋼製建具の下枠構造の技術分野に関するものである。
【背景技術】
【０００２】
一般に、この種の鋼製建具の中には、建物壁面に開口部を形成し、該開口部に鋼製の四周枠を設け、該四周枠で囲撓された空間の中にガラス板等のパネル体を嵌め込んだものを建て付けて明り取りをしたり意匠性の改善を図る等の配慮をしたものがあり、このようなものにおいて四周枠のうちの下枠について、躯体側に建て付けられ、屋外側に冂字形に突設されてパネル体の屋外側面を支持する屋外側部と、パネル体を支持する支持受け部と、該支持受け部から屋内側に延出する屋内側部とが曲げ形成された下枠本体と、下枠の屋内側部にビス固定されてパネル体の屋内側面を支持する押し縁とで構成し、押し縁を外した状態でパネル体を嵌め込むことができるようにしたものが知られている（特許文献１、２参照）。
ところで前記従来のものは、押し縁は単に下枠にビス固定されているだけであるから、押し縁下端と下枠との当接面同士のあいだの水密性は完全ではなく、このためシール材が劣化する等して防水機能が損なわれると、パネル体の屋外側面に当たった雨水が屋外側のシール部を通過して押し縁部位まで流れ込み、そして下枠本体側のビス孔を通して下枠を抜け下方に漏水してしまうという問題がある。
そこで左右枠に関するものではある（特許文献３参照）が、これを下枠に転用し、下枠本体のビス孔が形成される部位をパネル体を受ける支持受け部よりも高くし、ここに押し縁をビス固定するようにして下枠本体側のビス孔を支持受け部よりも高くして雨水がビス孔を通って下枠を抜け下方に漏洩することを防止している。
【先行技術文献】
【特許文献】
【０００３】
【特許文献１】特開平７-３２４５５７号公報
【特許文献２】特開平１１-１０７６４１号公報
【特許文献３】特開２００５-１７１５３９号公報
【発明の概要】
【発明が解決しようとする課題】
【０００４】
しかしながらこのものにおいて、万が一、屋外側シール材が劣化する等して水密性が破られたとき、雨水が該水密性が破られたシール材部位からパネル体の下端、屋内側のシール材の下端を経由して押し縁に至り、ここからさらに下枠本体に穿設したビス孔に至って該ビス孔から雨水が漏洩することが考えられ、これを防止するには、下枠本体の下側に塞ぎ部材を設ける必要があるが、塞ぎ板を用いて下枠本体のビス孔から漏洩した雨水が下枠を抜けて下方に漏洩するのを防ぐためには、塞ぎ部材の下端部と下枠本体とのあいだを水密状にしなければならず、そのためには、例えば塞ぎ部材の下端部と下枠本体との当接部の左右全幅を溶着する等しなければならず、作業が面倒かつ煩雑になるという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、躯体側に建て付けられる上下左右の鋼製四周枠によって囲撓された空間にパネル体を嵌め込んで屋内外を仕切るように構成した鋼製建具において、前記四周枠のうちの下枠は、躯体側に建て付けられる下枠本体と、該下枠本体の上面に配設されてパネル体の支持をする支持部材と、該支持部材の屋内側部に組み込まれてパネル体の屋内側面を支持する押し縁とで構成されるものであって、これら下枠本体、支持部材並びに押し縁は、それぞれ鋼材を曲げ加工して形成した一体物であり、支持部材は、パネル体の屋外側面を支持するべくパネル体下端よりも高位となるよう突設される屋外側部と、パネル体を屋内側から組み込み可能にするべく前記屋外側部よりは低位となるよう突設されていて前記押し縁がビス固定される屋内側部と、パネル体の下端と対向してパネル体を支持するべく前記屋内外側部のあいだに位置して凹溝状に形成される支持受け部とを備えて構成されるものであり、前記下枠本体と支持部材の支持受け部とを当接させて溶着することで下枠本体と支持部材とを固定して雨水の下枠を抜けて下方への漏水を防止するように構成したことを特徴とする鋼製建具の下枠構造である。
請求項２の発明は、下枠本体の押し縁よりも屋内側部位には、支持受け部の下枠本体に対する当接面よりも高くなった段差状部が形成されていて屋内側への雨水の漏水を防止するように構成されていることを特徴とする請求項１記載の鋼製建具の下枠構造である。
請求項３の発明は、押し縁は冂字形に形成されたものであり、該押し縁の屋内側脚片は、支持部材屋内側部の屋内側面に対向する状態で下端が下枠本体に当接するようにして、支持部材屋内側部が屋内側から目視されないように構成されていることを特徴とする請求項１または２記載の鋼製建具の下枠構造である。
【発明の効果】
【０００６】
請求項１の発明とすることにより、押し縁がビス固定される部材を、下枠本体ではなく下枠本体の上面に配設され、パネル体の屋外側面を支持する屋外側部が形成された支持部材として、下枠本体側にはビス孔がない構成にしてビス孔を通して雨水の下枠を抜けて下方への漏洩を防止できるものでありながら、下側の下枠本体とビス孔が形成される上側の支持部材とは、左右全幅に亘る溶接が必要なく、左右方向適宜間隔を存して設けられる溶接による固定でよいことになって作業性に優れたものになる。
請求項２の発明とすることにより、雨水が支持部材の屋内側部位を越えて浸入したとしても、下枠本体に形成の段差状部により屋内側への雨水の漏水を防止することができることになって防水性がさらに優れたものとなる。
請求項３の発明とすることにより、支持部材屋内側部を押し縁の屋内側脚片が目隠しすることになって、屋内側からの目視がなく、外観性が優れたものになる。
【図面の簡単な説明】
【０００７】
【図１】鋼製建具の正面図である。
【図２】鋼製建具の縦断面図である。
【図３】（Ａ）（Ｂ）は下枠部位の平面図、正面図である。
【図４】第二の実施の形態を示す下枠部位の縦断面図である。
【発明を実施するための形態】
【０００８】
以下、本発明の実施の形態について、図面に基づいて説明する。図面において、１は鋼製建具であって、該建具１は、上下左右枠２、３、４、５によって四周が囲撓され、該囲撓スペースにガラス板等のパネル体６が嵌め込まれたものであって、マンションのエントランスを構成する屋内外を仕切るための壁（図示せず）を切り欠いた状態のスペースに建て付けられるものであるが、その建て付け構成については汎用のものを採用しているので省略する。
【０００９】
前記下枠３は、躯体側に建て付けられる下枠本体７と、該下枠本体７の上面に配設されてパネル体６の支持をする支持部材８と、該支持部材８の屋内側部に組み込まれてパネル体６の屋内側面を支持する押し縁９とで構成されているが、これら下枠本体７、支持部材８、押し縁９はそれぞれ鋼材を曲げ加工して形成された一体物となっている。
【００１０】
まず下枠本体７であるが、これは、左右枠４、５の屋内外幅に対応する屋内外幅を有していて水平状になった本体部７ａと、該本体部７ａから屋外側に延出する屋外側部７ｂと、本体部７ａから屋内側に延出する屋内側部７ｃとにより一体形成されている。屋外側部７ｂは、本体部７ａから屋外側ほど低位となるよう傾斜し、屋外側端部には段差状に折曲された折曲部７ｄが形成されている。また屋内側部７ｃと本体部７ａとのあいだには、本体部７ａの屋内側端から上方に向けて折曲されていて、本体部７ａに対して段差状に高くなった段差状部７ｅが形成され、屋内側部７ｃは該段差状部７ｅの上端から屋内側ほど低位となるよう傾斜したものであり、屋内側部７ｃの屋内側端には段差状に折曲された折曲部７ｆが形成されている。
【００１１】
一方、支持部材８は、パネル体６の嵌め込み部に対応していてパネル体６の板厚よりも内外シール材１１、１１ａが挿入される分だけ幅広い状態で前記本体部７ａに上側から当接していて、受け座１２を介してパネル体６の下端部を受け止め支持する支持受け部８ａが設けられているが、該支持受け部８ａを、左右方向適宜間隔を存して本体部７ａとスポット溶接８ｄすることで、下枠本体７と支持部材８とは貫通孔がない状態で一体化されるようになっている。そして支持部材８は、支持受け部８ａが溶接により下枠本体７に固定されるものであるが、支持受け部８ａの溶接される部位は前述したように受け座１２を介してパネル体６が組み込まれるため目視されることがなく、この結果、溶接部位が凹凸になったとしても、該凹凸部位をサンダーで削ったりパテで埋め込みをする等の作業が不要になって溶接したままの状態でよく作業性が向上する。
尚、溶接はスポット溶接に限定されるものではなく、例えば栓溶接等の貫通孔が形成されない溶接であればいずれを採用してもよいことは勿論である。
そして支持部材８には、さらに支持受け部８ａから屋外側に位置してパネル体６の下端よりも高くなっていてパネル体６の屋外側面を支持するよう冂字形に折曲形成された屋外側部８ｂと、支持受け部８ａから屋内側に位置して支持受け部８ａよりも背高ではあるが屋外側部８ｂよりは背低になっていて、押し縁９を外した状態でパネル体６を屋内側から組み込みができるように折曲形成された屋内側部８ｃとが設けられており、これによって支持受け部８ａは屋外側部８ｂと屋内側部８ｃとのあいだに位置した凹溝状に形成されたものになっており、ここに受け座１２が嵌入されることになって、受け座１２がパネル体６の取り付け作業時に位置ずれしないように設定されている。そして本実施の形態では、屋内側部８ｃと段差状部７ｅの上端とが同じ高さになり、かつ屋内側部８ｃの上端はパネル体６の下端よりも低位になるよう設定されている。
【００１２】
また、押し縁９は、屋内側脚片９ａが屋外側脚片９ｂよりも支持部材屋内側部８ｃの高さ分、長い状態で冂字形をしており、上端の跨部９ｃには左右方向適宜間隔を存してビス孔９ｄが穿設されている。そして押し縁９は、屋外側脚片９ａの下端が支持部材屋内側部８ｃの屋外寄りの上面に当接される一方、屋内側脚片９ｂは、屋内側部８ｃの屋内側辺に対向当接する（沿う）状態となって押し縁９の支持部材屋内側部８ｃに対する位置決めがなされ、該屋内側脚片９ｂは、下端が本体部７ａの上面に当接されることで段差状部７ｅの上端よりも低位にあるとともに、ビス１０を螺合する際に押し縁９の安定化が図れることになる。しかも、押し縁９は、本体部７ａと支持部材屋内側部８ｃの上面の間のスペースに配され、このスペースにビス１０の先端が位置する状態で、前記ビス孔９ｄに遊嵌したビス１０を、支持部材屋内側部８ｃに穿設のビス孔８ｅに螺入することで支持部材屋内側部８ｃに組み付けられ、この組み付け状態で、押し縁９は、パネル体６の下端よりも高位となっていて、パネル体６の屋内側面の支持をするようになっている。
【００１３】
尚、図中、１３は下枠本体７の本体部７ａに下側から当接して下枠１の補強をする補強材である。また下枠３と左右枠４、５とのコーナー部は、図示しない水密構造を採用することによって水密状に構成されている。
【００１４】
叙述の如く構成された本実施の形態において、鋼製の上下左右の枠材２、３、４、５に形成されるスペースにパネル体６が嵌め込まれるが、その場合において、下枠３は、躯体側に建て付けられる下枠本体７と、該下枠本体７の上面に配設されてパネル体６の支持をする支持部材８と、該支持部材８の屋内側部に組み込まれてパネル体の屋内側面を支持する押し縁９とで構成されるものであるが、これら下枠本体７、支持部材８並びに押し縁９は、それぞれ鋼材を曲げ加工して形成した一体物であって、鋼製建具を構成している。
【００１５】
そして支持部材８は、パネル体６の屋外側面を屋外側シール材１１ａを介して支持するべくパネル体６の下端よりも高位となるよう突設される屋外側部８ｂと、パネル体６を屋内側から組み込み可能にするべく前記屋外側部８ｂよりは低位となるよう突設されていてその上面に前記押し縁９がビス１０により固定される屋内側部８ｃと、パネル体６の下端と対向して該パネル体６を支持するべく前記屋内外側部８ｂ、８ｃのあいだに位置して凹溝状に形成される支持受け部８ａとで形成され、そして下枠本体７と支持部材８とは、支持受け部８ａと本体部７ａとを当接した状態で、該当接部位を左右方向適宜間隔を存してスポット溶接８ｄにより固定しているから、下枠本体７と支持部材８とには貫通孔がなく、この結果、屋外側シール材１１ａが劣化する等して雨水がシール材１１ａを破って支持受け部８ａ側に浸入したとして、支持受け部８ａおよび本体部７ａには貫通孔がない結果、浸入した雨水が下枠３を抜けて下方に漏洩してしまうことがない。
【００１６】
しかも上側から下側の本体部７ａに当接する支持部材８の支持受け部８ａにはビス孔がない結果、本体部７ａと支持受け部８ａとは、左右全幅に亘る溶接が必要なく、左右方向適宜間隔を存して設けられるスポット溶接８ｄでよいことになって作業性に優れたものになる。
【００１７】
そのうえこのものでは、下枠本体７の本体部７ａと屋内側部７ｃとのあいだに本体部７ａに対して段差状に高い段差上部７ｅが形成されている結果、支持部材屋内側部８ｃに形成されたビス孔８ｅを通って雨水が浸入してきたとして、該浸入した雨水は、段差上部８ｅで堰き止められることになって下枠本体７の屋内側部７ｃ側に漏洩することを未然に防止することができる。
【００１８】
またこのものでは、押し縁９の屋内側片９ｂが支持部材８の屋内側部８ｃを覆っていて目視できないようにし、そして屋内側片９ｂだけの一枚板が目視できることになって意匠性の向上を図ることができる。
【００１９】
なお、本発明は前期実施の形態に限定されるものでないことは勿論であって、例えば、図４に示す第二の実施の形態のようにしても実施することができる。第一の実施の形態と同じものは同じ引出符号を付し、その詳細を省略する。
このものの下枠２３は、同じく躯体側に建て付けられる下枠本体２７と、該下枠本体２７の上面に配設されてパネル体６の支持をする支持部材２８と、該支持部材２８の屋内側部に組み込まれてパネル体６の屋内側面を支持する押し縁２９とで構成されるが、これら下枠本体２７、支持部材２８並びに押し縁２９は、それぞれ鋼材を曲げ加工して形成した一体物である。
【００２０】
下枠本体２７は、本体部２７ａと屋外側部２７ｂとが面一状になっており、本体部２７ａの屋内側端は上方に向けて段差状に折曲した段差状部２７ｅが形成され、該段差状部２７ｅの上端から水平状に屋内側部２７ｃが形成され、そして屋内外側部２７ｂ、２７ｃの先端部はそれぞれ下側に向けて折曲され、さらにその下端が内側に向けて折曲した折曲部２７ｄ、２７ｆとなっている。
【００２１】
また支持部材２８は、パネル体６の下端を受け座１２を介して受け止め支持する支持受け部２８ａと、パネル体６の下端よりも背高になっていてパネル体６の屋外側面をシール材１１ａを介して支持する屋外側部２８ｂと、パネル体６を屋内側から組み込み可能にするべく前記屋外側部２８ｂよりは低位となるよう突設されていて前記押し縁２９がビス１０を介して固定される屋内側部２８ｃとで構成されている。そして支持部材２８は、支持受け部２８ａと下枠本体２７の本体部２７ａとの当接部を適宜間隔を存してスポット溶接２８ｄすることにより貫通孔のない状態で一体に固定されている。
【００２２】
押し縁２９は、第一の実施の形態と同様、屋内側脚片２９ａが屋外側脚片２９ｂよりも長い状態で冂字形をしており、上端の跨部２９ｃには左右方向適宜間隔を存してビス孔２９ｄが穿設されている。そして押し縁２９は、屋外側脚片２９ａの下端が支持部材屋内側部２８ｃの屋外寄りの上面に当接され、屋内側脚片２９ｂが屋内側部２８ｃの屋内側辺に沿う状態で本体部２７ａの上面に当接され、この状態で、前記ビス孔２９ｄに遊嵌したビス１０を、支持部材屋内側部２８ｃに穿設のビス孔２８ｅに螺入することで支持部材屋内側部２８ｃに組み付けられ、この組み付け状態で、押し縁２９は、パネル体６の下端よりも高位となっていて、パネル体６の屋内側面の支持をするようになっている。
尚、押し縁２９の上面は、下枠本体２７の屋内側部２７ｃと面一状になっているため外観性の向上が図れるようになっている。
【００２３】
そしてこのものも、屋外側シール材１１ａが劣化する等してシール材１１ａの水密性を破って浸入した雨水が、下枠本体２７及び支持受け部２８ａには貫通孔がないため下枠２３を抜けて下方に漏洩することがないだけでなく、支持部材に形成した段差状部２７ｅがあるため屋内側への浸入も防止することができる。
【産業上の利用可能性】
【００２４】
本発明は、鋼製四周枠にパネルを嵌め込んだ鋼製建具の技術分野に利用することができる。
【符号の説明】
【００２５】
１    鋼製建具
２    上枠
３    下枠
４    左枠
５    右枠
６    パネル体
７    下枠本体
７ａ  本体部
７ｂ  屋外側部
７ｃ  屋内側部
７ｅ  段差状部
８    支持部材
８ａ  支持受け部
８ｂ  屋外側部
８ｃ  屋内側部
８ｄ  スポット溶接
８ｅ  ビス孔
９    押し縁
【図１】
2014125810.tif 000003
【図２】
2014125810.tif 000004
【図３】
2014125810.tif 000005
【図４】
2014125810.tif 000006